(57)【要約】      （修正有）【課題】食品が包装用容器内で位置ずれしたり広がったりすることを防止する包装容器を提供する。【解決手段】食品を載置する部分を区画する器部１を備え、器部は、食品を載置する器底部１１と、器底部の縁から立ち上がる器壁部１２とを有し、器底部と器壁部との高低差ｈが５ｍｍ以上である。【選択図】図１
0003222199.tif 000002
【実用新案登録請求の範囲】
【請求項１】
食品を載置する部分を区画する器部を備え、
前記器部は、食品を載置する器底部と、当該器底部の縁から立ち上がる器壁部とを有し、
前記器底部と前記器壁部との高低差が５ｍｍ以上である
ことを特徴とする包装用容器。
【請求項２】
前記器部の外側に位置し、前記器底部より下方に突出する脚部をさらに備えている
ことを特徴とする請求項１に記載の包装用容器。
【請求項３】
前記器壁部は、前記器底部の縁から全周に渡って立ち上がっている
ことを特徴とする請求項１又は２に記載の包装用容器。
【請求項４】
前記器壁部の上端部の高さは、周方向かつ連続的に変化する
ことを特徴とする請求項１乃至３のいずれか一項に記載の包装用容器。
【請求項５】
前記器部の外側に位置し、前記器部及び前記脚部に連続して設けられたフランジ部をさらに備えており、
前記器壁部の上端部は、前記フランジ部の上端部より高く位置している
ことを特徴とする請求項１乃至４のいずれか一項に記載の包装用容器。
【請求項６】
前記器部は、熱可塑性樹脂製のシートから成形後に中身が見えるように成型されたもので、
前記器部には、印刷層が積層されている
ことを特徴とする請求項１乃至５のいずれか一項に記載の包装用容器。
【請求項７】
請求項１乃至６のいずれか一項に記載の包装用容器は、ポリエチレンテレフタレート製である
ことを特徴とする包装用容器。
【請求項８】
請求項１乃至７のいずれか一項に記載の包装用容器が容器本体であり、
前記容器本体と、前記容器本体に装着する蓋体とを備えている
ことを特徴とする包装用容器。
【請求項９】
前記容器本体には、惣菜又は刺身が盛り付けられている
ことを特徴とする請求項８に記載の包装用容器。
【考案の詳細な説明】
【技術分野】
【０００１】
本考案は、例えば、食品の収納時に用いる包装用容器に関し、特に、食品が包装用容器内で位置ずれしたり広がったりすることを防止する包装用容器に関する。
【背景技術】
【０００２】
従来から、例えばスーパーマーケットやコンビニエンスストア等の小売店で販売される食品用の包装用容器は、食品の位置ずれや広がりを防止するために、内部に別体の容器を入れたり、包装用容器の底部に周状かつ低めの壁部を設けたりしていた。例えば、特許文献１に記載の組み立て容器は、組み立てた後に別の容器内に入れ、上記組み立て容器内に食品を盛り付けていた。
【先行技術文献】
【特許文献】
【０００３】
【特許文献１】特開２００３−２６１４９号公報
【考案の概要】
【考案が解決しようとする課題】
【０００４】
しかしながら上述した従来技術では、組み立て容器を組み立てるのみならず、容器内に入れる手間がかかる。さらに、組み立て容器が容器内で固定されていない限り、組み立て容器自体が位置ずれするおそれがある。このため、容器内に別の器状の部分を一体的に成型すれば、上述した手間やおそれを回避できる可能性がある。
【０００５】
また、包装用容器の底部に周状かつ低めに設けた壁部では、器としての効果を得られにくい。すなわち、上記壁部は、上記底部及び食品に対して低過ぎることから、食品の汁が流れて広がらないようにすることはできるとしても、食品自体の位置ずれや広がりを防止するのは困難である。このため、上記底部及び上記壁部にて器状の部分を形成すれば、食品を安定して載置できる可能性がある。
【０００６】
そして、容器内に別の器状の部分があることで、盛り付けた食品が見えにくくなったり、閉蓋時に蓋体と器状の部分とで食品を挟んでしまったり、蓋体に食品が貼り付いてしまったりするおそれもあることから、これらを回避する構造にすべきである。
【０００７】
そこで本考案の目的は、器状の部分に盛り付けた食品が見にくくならずに、上記食品が蓋体に挟まれにくく、蓋体に食品が貼り付くのを回避すると共に、上記食品が容器本体の内部で位置ずれしにくく、かつ広がりにくくなる効果を期待できる包装用容器を提供することにある。
【課題を解決するための手段】
【０００８】
上記課題を解決するために、本考案による包装用容器は、食品を載置する部分を区画する器部を備え、前記器部は、食品を載置する器底部と、当該器底部の縁から立ち上がる器壁部とを有し、上記器底部と上記器壁部との高低差が５ｍｍ以上であることを特徴とする。
【０００９】
上記器部の外側に位置し、上記器底部より下方に突出する脚部をさらに備えていることが望ましい。
【００１０】
上記器壁部は、上記器底部の縁から全周に渡って立ち上がっていることが望ましい。
【００１１】
上記器壁部の上端部の高さは、周方向かつ連続的に変化することが望ましい。
【００１２】
上記器部の外側に位置し、上記器部及び上記脚部に連続して設けられたフランジ部をさらに備えており、上記器壁部の上端部は、上記フランジ部の上端部より高く位置していることが望ましい。
【００１３】
上記器部は、熱可塑性樹脂製のシートから成形後に中身が見えるように成型されたもので、上記器部には、印刷層が積層されていることが望ましい。
【００１４】
上記包装用容器は、ポリエチレンテレフタレート製であることが望ましい。
【００１５】
上記包装用容器が容器本体であり、上記容器本体と、上記容器本体に装着する蓋体とを備えていることが望ましい。
【００１６】
上記容器本体には、惣菜又は刺身が盛り付けられていることが望ましい。
【考案の効果】
【００１７】
本考案における包装用容器では、器部に盛り付けた食品が見にくくならずに、上記食品が蓋体に挟まれにくく、蓋体に食品が貼り付くのを回避すると共に、上記食品が容器本体の内部で位置ずれしにくく、広がりにくくなる効果を期待できる。すなわち、従来とは異なる売り方で売り場に変化を出すことができる。
【図面の簡単な説明】
【００１８】
【図１】本実施形態における包装用容器の斜視図である。
【図２】上記包装用容器の平面図である。
【図３】図２のＰ−Ｐ部分における拡大Ｑ−Ｑ端面図である。
【図４】上記包装用容器の底面図である。
【図５】上記包装用容器の右側面図である。
【図６】上記包装用容器の正面図である。
【図７】本実施形態における別の包装用容器の斜視図である。
【図８】上記包装用容器の平面図である。
【図９】上記包装用容器の底面図である。
【図１０】上記包装用容器の右側面図である。
【図１１】上記包装用容器の正面図である。
【考案を実施するための形態】
【００１９】
以下、図１〜図６を参照しつつ、本発明の一実施形態における包装用容器について説明する。左側面図は右側面図と同等、正面図は背面図と同等につき、省略する。
これらの図において、複数個存在する同一の部位については、一つの部位のみに符番した部分もある。説明の便宜上、所定の部位やこの引き出し線をかくれ線（破線）や想像線（二点鎖線）で示し、断面部分をハッチングで示した部分もある。
説明において、上方、下方、側方、垂直方向、水平方向等の方向を示す用語は、基本的に、通常使用する向きで包装用容器を設置した状態における位置関係とする。
【００２０】
図１及び図２に示すとおり、本包装用容器は、蓋体Ｎを装着する容器本体Ｍを備えている。容器本体Ｍは、平面視で略長方形状で、食品を載置する部分を区画する器部１と、器部１の外周縁から連続して設けられたフランジ部２及び脚部３とを備えている。
なお、容器本体Ｍは、平面視で正方形、円形、又は楕円形でもよい。食品は、刺身、寿司、サラダ、惣菜、その他各種弁当用の具材でもよく、限定はない。
【００２１】
器部１は、容器本体Ｍの内側に一体的に設けられた部位である。器部１は、食品を載置する平面状の器底部１１と、器底部１１の縁から全周に渡って外方に傾斜して立ち上がる器壁部１２とを有する。図３に示すとおり、器壁部１２は、内壁面１２ｃと、内壁面１２ｃより急勾配の外壁面１２ｄとを有する。内壁面１２ｃの角度αは、水平面に対して３０°〜８０°、好ましくは４０°〜７０°、より好ましくは５０°〜６０°であり、３０°より小さいと器壁部１２の高さが小さくなり過ぎ、８０°より大きいと器壁部１２が尖ってしまうおそれがある。外壁面１２ｄの角度βは、水平面に対して７０°〜８５°、好ましくは７３°〜８２°、より好ましくは７５°〜８０°であり、７０°より小さいと器壁部１２の高さが小さくなり過ぎ、８５°より大きいと器壁部１２が尖ってしまうおそれがある。器壁部１２の上端部は、周方向かつ連続的に高さが変化しており、器壁第一上端部１２ａと、器壁第一上端部１２ａより短くかつ高い位置にある器壁第二上端部１２ｂとを有する。図５に示すとおり、器底部１１と器壁第一上端部１２ａとの高低差ｈは、５ｍｍ以上である。この構成によれば、器部１に盛り付けた食品が見にくくならずに、上記食品が蓋体Ｎに挟まれることも回避し、上記食品が容器本体Ｍの内部で広がらず、かつ位置ずれしにくくなる効果を期待できる。特に、食品が刺身である場合、刺身の下敷きとなるツマも広がりににくくできるため、ツマの量が従来の量より少なめでも安定して刺身を盛り付けることができる。
なお、器壁部１２は、平面視で正方形、円形、又は楕円形でもよい。器壁部１２の上端部の高さは、連続して変化していてもよい。器壁第一上端部１２ａの高さと器壁第二上端部１２ｂの高さとは、同等でも、器壁第二上端部１２ｂの高さのほうが低くてもよい。
【００２２】
フランジ部２は、器部１の外側に位置し、器部１及び脚部３に連続して設けられ、平面視で略長方形状で、全周に渡って同一の高さで、周状に連続して蓋体Ｎを装着するための符番しない外嵌合式の嵌合部を有する。フランジ部２の上端部の高さは、全周に渡って器壁部１２の上端部より低く位置している。
なお、フランジ部２は、平面視で正方形、円形、又は楕円形でもよい。嵌合部は、内嵌合式又は内外嵌合式でもよい。フランジ部２は、器壁部１２の上端部より高い部分を有していてもよい。フランジ部２の内周縁と器部１の外周縁との水平上の距離は、５ｍｍ〜１０ｍｍでよく、５ｍｍより短いと蓋体Ｎで食品を挟むおそれがあり、１０ｍｍより長いと容器本体Ｍに対して器部１が小さめになって見栄えが悪くなるおそれがある。フランジ部２の上端部と器壁第一上端部１２ａとの高低差は、３ｍｍ〜２０ｍｍでよく、好ましくは５ｍｍ〜１０ｍｍで、３ｍｍより低いと蓋体Ｎで食品を挟むおそれがあり、２０ｍｍより高いと食品が見えにくくなるおそれがある。
【００２３】
脚部３は、器部１の外側に位置し、器底部１１より下方に突出しており、平面視で容器本体Ｍの角部分に位置し、器部１の外周縁からフランジ部２の内周縁に渡って連続して形成されている。
なお、器底部１１と載置時に机上に接する脚部３の下端部分との高低差は、５ｍｍ〜１０ｍｍでよく、５ｍｍより低いと器底部１１の位置が低すぎて食品の見栄えが悪くなるおそれがあり、１０ｍｍより高いと包装用容器同士を積み重ねるにくくなるおそれがある。
【００２４】
容器本体Ｍは、透明なポリエチレンテレフタレート等のポリエステル系樹脂製のシートからなり、器部１の器底部１１及び器壁部１２には、印刷層が積層されている。この構成によれば、フランジ部２及び脚部３を含む他の部分並びに蓋体Ｎと比べて、印刷層を有する器部１が際立つため、容器本体Ｍ内とは別体の器部１が内蔵してある錯覚を需要者に生じさせ、高級感を演出することができる。
なお、印刷層の模様、色、及び絵柄は、いずれでもよい。器部１の印刷層は、圧空成形による定位置印刷にて積層されたものでもよい。印刷層は、上記シートに直接印刷したものや上記シートに印刷フィルムを積層したものでもよい。
【００２５】
蓋体Ｎは、平面視で略長方形状で、符番しない平面状の天面部と、天面部の外周縁から下方かつ外方に傾斜している蓋体側壁部と、蓋体側壁部の下端縁から外方に設けられた蓋体嵌合部とを有している。
なお、蓋体Ｎは、平面視で正方形、円形、又は楕円形でもよい。容器本体Ｍに蓋体Ｎが装着された状態で、器壁部１２の上端部と蓋体側壁部との水平方向の間隔は、５ｍｍ〜１０ｍｍでよく、５ｍｍより近いと蓋体Ｎで食品を挟むおそれがあり、１０ｍｍより遠いと容器本体Ｍに対して器部１が小さめになって見栄えが悪くなるおそれがある。容器本体Ｍに蓋体Ｎが装着された状態で、器底部１１から天面部までの高さが、４０〜５０ｍｍでよく、４０ｍｍより低いと中身の盛り付けの高さが低くなってしまい、５０ｍｍより高いと天面部と中身との距離が開き過ぎてしまうおそれがある。
【００２６】
次に、図７〜図１１は、本発明の一実施形態における別の包装用容器であり、上述した包装用容器と異なる部分についてのみ説明する。
なお、図１〜図６で示した部位と同等の部位は、参照を容易にする等のため、図７において一律１００を加えた番号にしており、図８〜図１１では符番を省略する。
【００２７】
図７に示すとおり、容器本体１００Ｍのフランジ部１０２は、符番しない内嵌合式の嵌合部を有する。そのため、外嵌合式の嵌合部を有するフランジ部を備えた容器本体と比べて、器壁部１１２の内壁面及び外壁面の傾斜は急勾配に形成されている。この構成によれば、器部１０１の容積を相対的に多めにでき、かつフランジ部１０２の内周縁と器壁部１１２の外壁面との水平方向の距離を広めにすることができる。
【００２８】
なお、本実施形態における容器本体Ｍ及び蓋体Ｎは、例えば真空成型、熱板圧空成型、真空圧空成型、両面真空成型等のシート成型で、合成樹脂シートを熱成型することにより形成されてもよい。合成樹脂シートとしては、例えば、ポリエチレンテレフタレート等のポリエステル系樹脂、ポリスチレン等のスチレン系樹脂、ポリプロピレン等のオレフィン系樹脂で、単層や多層のシートを使用してもよい。樹脂としては、例えば、発泡樹脂を使用すれば、軽量かつ断熱性があり好ましい。さらに、シートの表面または裏面を合成樹脂フィルムで覆ってもよく、表面を覆った場合は印刷を施してもよい。合成樹脂シートの厚みは特に制限はない。
【符号の説明】
【００２９】
Ｍ        容器本体
Ｎ        蓋体
１        器部
１１      器底部
１２      器壁部
２        フランジ部
３        脚部
【図１】
0003222199.tif 000003
【図２】
0003222199.tif 000004
【図３】
0003222199.tif 000005
【図４】
0003222199.tif 000006
【図５】
0003222199.tif 000007
【図６】
0003222199.tif 000008
【図７】
0003222199.tif 000009
【図８】
0003222199.tif 000010
【図９】
0003222199.tif 000011
【図１０】
0003222199.tif 000012
【図１１】
0003222199.tif 000013
【手続補正書】
【提出日】令和1年5月14日(2019.5.14)
【手続補正１】
【補正対象書類名】実用新案登録請求の範囲
【補正対象項目名】請求項５
【補正方法】変更
【補正の内容】
【請求項５】
前記器部の外側に位置し、前記器部及び前記脚部に連続して設けられたフランジ部をさらに備えており、
前記器壁部の上端部は、前記フランジ部の上端部より高く位置している
ことを特徴とする請求項２に記載の包装用容器。